(57)【要約】【課題】中空型構造を持つ易解体ボルトの締付け時、おねじ部が半径方向内側へ収縮変形してしまい強固なねじ締結力が得られないという欠点を解消することができる易解体ボルト用締結工具を提供すること。【解決手段】中空構造を持つ易解体型ボルト５０に対し、これを締付ける工具１の形状を、当該易解体ボルト５０の中空部分１６にはまり合う円柱状支柱３を持った構造とした易解体ボルト用締付工具１。【選択図】      図１
2004306215.tif 000002
【特許請求の範囲】
【請求項１】
中空構造を持つ易解体ボルトに対し、これを締付ける工具の形状を、ボルトの中空部分にはまり合う円柱状支柱を持った構造としたことを特徴とする易解体ボルト用締付工具。
【請求項２】
請求項１に記載の易解体ボルト用締付工具において、当該易解体ボルト用工具表面の一部に突起又は溝部を設け、一方締付けられる側の当該易解体ボルトにはそれとかみ合う位置に溝部又は突起を設けたことを特徴とする易解体ボルト用締付工具。
【請求項３】
請求項１に記載の易解体ボルト用締付工具において、当該易解体ボルト用工具表面の一部に温度検出部を設けたことを特徴とする易解体ボルト用締付工具。
【請求項４】
請求項１に記載の易解体ボルト用締付工具において、前記円柱状支柱表面に凸部及び凹部を設け、締付け中はその凸部のみが中空構造のボルトの内面に接するようにしたことを特徴とする易解体ボルト用締付工具。
【請求項５】
中空構造を持つ易解体ボルトに対し、前記易解体ボルトの中空部分にはまり合う円柱状支柱を持った工具を用いることを特徴とする易解体ボルト用締付工具の使用方法。
【請求項６】
請求項５に記載の易解体ボルト用締付工具の使用方法において、当該易解体ボルト用工具表面の一部に突起又は溝部を設け、一方締付けられる側の当該易解体ボルトにはそれとかみ合う位置に溝部又は突起を設けたことを特徴とする易解体ボルト用締付工具の使用方法。
【請求項７】
請求項５に記載の易解体ボルト用締付工具の使用方法において、当該易解体ボルト用工具表面の一部に温度検出部を設けたものを用いることを特徴とする易解体ボルト用締付工具の使用方法。
【請求項８】
請求項５に記載の易解体ボルト用締付工具の使用方法において、前記円柱状支柱表面に凸部及び凹部を設け、締付け中はその凸部のみが中空構造のボルトの内面に接するようにしたものを用いることを特徴とする易解体ボルト用締付工具の使用方法。
【発明の詳細な説明】
【０００１】
【発明の属する技術分野】
本発明は、各種製品のリサイクル等のために有効である解体容易なボルトに対し、それを締付ける際に用いる締付工具に関するものである。
【０００２】
【従来の技術】
従来、図５（ａ）及び図５（ｂ）に示される易解体ボルトが提案されている（特許文献１、参照）。
【０００３】
図５（ａ）は特許文献１による易解体ボルトの締結方法の説明に供せられる斜視図で、図５（ｂ）は図５（ａ）の易解体ボルトの締結方法の説明に供せられる部分断面斜視図である。
【０００４】
図５（ａ）及び（ｂ）を参照すると、易解体ボルト５０は、複数部材を締結保持する解体容易な締結用ボルトとして、一部又は全部が形状記憶材よりできている中空部１６を備えたパイプ形状のシャフト１４およびヘッダ１５を有し、かつそのシャフト１４およびヘッダ１５には径方向に内部まで貫通すると共に長さ方向の全長に渡ってスリット１７が設けられた形状となっている。また、ヘッダ１４の一端側には、おねじ部１９が設けられている。
【０００５】
この従来技術１による易解体ボルトを締付ける場合、これまでは、図５（ａ）に示すように、「−」形状に先端が加工されたドライバ等の工具１０８を用いて、図５（ｂ）に示すように、第１の被締結体５１を貫通して、第２の被締結部材５２に設けられためねじ部５２ａにねじ込んで締付けることが一般的であった。
【０００６】
【特許文献１】
特開２００２−００５１２４号公報
【０００７】
【発明が解決しようとする課題】
しかしながら、図５（ａ）に示すような中空部１６を有するボルトを上記の工具１８で締付ける場合、おねじ部１９がめねじ部１２と接触して発生するねじ込み抵抗に耐え切れず、図５（ｂ）に示すようにおねじ部１９が半径方向内側へ収縮変形してしまい、結果的に強固なねじ締結力が得られないという欠点を有していた。
【０００８】
そこで、本発明の技術的課題は、中空型構造を持つ易解体ボルトの締付け時、おねじ部が半径方向内側へ収縮変形してしまい強固なねじ締結力が得られないという欠点を解消することができる易解体ボルト用締結工具を提供することにある。
【０００９】
【課題を解決するための手段】
本発明による易解体ボルト用締付工具は、中空構造を有する易解体ボルトに対し、その中空部にはまり合う形状の円柱状支柱を設けた構造としたものである。
【００１０】
また、本発明によれば、中空構造を持つ易解体ボルトに対し、これを締付ける工具の形状を、ボルトの中空部分にはまり合う円柱状支柱を持った構造としたことを特徴とする易解体ボルト用締付工具が得られる。
【００１１】
また、本発明によれば、前記易解体ボルト用締付工具において、当該易解体ボルト用工具表面の一部に突起又は溝部を設け、一方締付けられる側の当該易解体ボルトにはそれとかみ合う位置に溝部又は突起を設けたことを特徴とする易解体ボルト用締付工具が得られる。
【００１２】
また、本発明によれば、前記易解体ボルト用締付工具において、当該易解体ボルト用工具表面の一部に温度検出部を設けたことを特徴とする易解体ボルト用締付工具が得られる。
【００１３】
また、本発明によれば、前記易解体ボルト用締付工具において、前記円柱状支柱表面に凸部及び凹部を設け、締付け中はその凸部のみが中空構造のボルトの内面に接するようにしたことを特徴とする易解体ボルト用締付工具が得られる。
【００１４】
また、本発明によれば、中空構造を持つ易解体ボルトに対し、前記易解体ボルトの中空部分にはまり合う円柱状支柱を持った工具を用いることを特徴とする易解体ボルト用締付工具の使用方法が得られる。
【００１５】
また、本発明によれば、前記易解体ボルト用締付工具の使用方法において、当該易解体ボルト用工具表面の一部に突起又は溝部を設け、一方締付けられる側の当該易解体ボルトにはそれとかみ合う位置に溝部又は突起を設けたことを特徴とする易解体ボルト用締付工具の使用方法が得られる。
【００１６】
また、本発明によれば、前記易解体ボルト用締付工具の使用方法において、当該易解体ボルト用工具表面の一部に温度検出部を設けたものを用いることを特徴とする易解体ボルト用締付工具の使用方法が得られる。
【００１７】
また、本発明によれば、前記易解体ボルト用締付工具において、前記円柱状支柱表面に凸部及び凹部を設け、締付け中はその凸部のみが中空構造のボルトの内面に接するようにしたものを用いることを特徴とする易解体ボルト用締付工具の使用方法が得られる。
【００１８】
【発明の実施の形態】
以下、本発明の実施の形態について図面を参照しながら説明する。
【００１９】
図１（ａ）及び（ｂ）は本発明の第１の実施の形態による易解体ボルト用締付工具及びその使用法の説明に供せられる斜視図及び半断面斜視図である。このうち図１（ａ）は工具を易解体ボルトの締付けに適用する直前の状態を示す斜視図である。この例においては、締付工具１は、円柱状支柱３と、円柱状支柱３の中央部分に長さ方向に設けられた薄板状突起２とを備えている。易解体ボルト５０は従来技術のところで示したように、夫々スリット１７が設けられた円筒形状のシャフト１４と、その周囲の一端部寄りに設けられたヘッダ１５とを備え、シャフト１４の他端は、おねじ部１９が設けられている。
【００２０】
図１（ａ）に示すように、締付工具１の円柱状支柱３が易解体ボルト５０の中空部１６に、また締付工具１の薄板状突起２が易解体ボルト５０のスリット１７と工具挿入溝１８とにそれそれはまり合う構造となっている。
【００２１】
この構成で易解体ボルト５０を締付けることにより、図１（ｂ）に示すように、第１の被締結体５１と、第２の被締結部材５２とを重ね合わせて易解体ボルト５０にて締結する場合、締付工具１の円柱状支柱３が易解体ボルト５０のおねじ部１９の半径方向内側への収縮変形を防止することができ、おねじ部１９と被締結部材５２のめねじ部１２の強固なかみ合いが得られ、十分な締結力を確保することが可能になる。
【００２２】
また、薄板状突起２が易解体ボルトのスリット１７と工具挿入溝１８とにかみ合っているため、最後まてスリップすることなく易解体ボルト５０を締付けることが可能となる。
【００２３】
尚、解体の際には、加熱すれば、シャフト１４は径方向に縮小し、ヘッダ１５は径方向に拡径するので、容易に解体することができる。
【００２４】
図２は本発明の第２の実施の形態による易解体ボルトを示す斜視図である。
【００２５】
図２に示すように、図１（ａ）及び（ｂ）に示す易解体ボルト形状の他に、おねじ部１９と頭部２３とが一体となったような形状のボルト６０も、全く同形の締付工具１で締付けることにより、同様の効果が得られる。具体的には、この易解体ボルト６０は、円筒状で、一端側にＬ字又はＴ字形状の板体が半径方向に突出したリングに周方向に切り込みが入るとともに、半径方向の板片で結合した所謂、車輪状の頭部１８と、他端側におねじ部１９が設けられ、頭部２３からおねじ部１９を貫通して長さ方向にスリット１７が設けられ、頭部２３のスリット１７と対称位置には半径方向に工具挿入溝１８が設けられている。
【００２６】
図３は本発明の第３の実施の形態による易解体ボルト用締付工具及びその使用法示す図で、図３（ａ）は工具を易解体ボルトの締付けに適用する直前の状態を示す斜視図で、図３（ｂ）は締付状態を示す部分断面斜視図である。この場合の締付工具１は、図３（ａ）に示すように、その表面の一部に温度測定部４を設けた構造としている。なおこの例では、温度測定部への通電用として埋込型の導線５をその工具内部に組み込んでいる。
【００２７】
これを図１で示したものと同様の易解体ボルト５０の締付けに適用した場合、図３（ｂ）に示すように、易解体ボルトの例えば、おねじ部１９の温度を測定することができ、この場合ボルト締付けに伴い発生する摩擦熱により、易解体ボルト５０の温度がその素材である形状記憶合金の変態温度を超える温度まて上昇した時に、それを検知し警報を出すことなどが可能となる。
【００２８】
図４は本発明の第４の実施の形態による易解体ボルト用締付工具及びその使用法を示す図で、図４（ａ）は締付へ前の状態を示し、図４（ｂ）は締付状態を示している。図４（ａ）に示すように、締付工具２０は、図１で示した締付工具１に更に，その工具表面に凸部６と凹部７とを設けている。このうち凸部６のみが易解体ボルト５０の中空部１６の内壁表面と接するようにしている。なおこの凸部６は角部やバリのない形状でありかつ表面の仕上げ程度も摩擦係数がごく小さいものとなっていることが望ましい。
【００２９】
この締付工具２０で易解体ボルト５０の締付けを行う場合、図４（ｂ）に示すように、これまでの図１（ｂ）や図３（ｂ）で示した場合と同様に締付けを行うことができるが、締付け終了時には締付工具２０の表面に施した前記の摩擦抵抗低減策により、はるかに容易に締付工具２０をボルトから抜取ることが可能になる。
【００３０】
【発明の効果】
以上の説明により、本発明によれば、中空型構造を持つ易解体ボルトの締付け時の欠点てあった、おねじ部が半径方向内側へ収縮変形してしまい強固なねじ締結力が得られないという欠点を解消することができる易解体ボルト用締付工具を提供することができる。
【図面の簡単な説明】
【図１】（ａ）及び（ｂ）は本発明の第１の実施の形態による易解体ボルト用締付工具及びその使用法の説明に供せられる斜視図及び半断面斜視図である。
【図２】本発明の第２の実施の形態による易解体ボルトを示す斜視図である。
【図３】本発明の第３の実施の形態による易解体ボルト用締付工具及びその使用法示す図で、（ａ）は工具を易解体ボルトの締付けに適用する直前の状態を示す斜視図で、（ｂ）は締付状態を示す部分断面斜視図である。
【図４】図４は本発明の第４の実施の形態による易解体ボルト用締付工具及びその使用法を示す図で、（ａ）は締付前の状態を示し、（ｂ）は締付状態を示している。
【図５】（ａ）は特許文献１による易解体ボルトの締結方法の説明に供せられる斜視図で、（ｂ）は（ａ）の易解体ボルトの締結方法の説明に供せられる部分断面斜視図である。
【符号の説明】
１    締付工具
２    薄板状突起
３    円柱状支柱
４    温度測定部
５    導線
６    凸部
７    凹部
１４    シャフト
１５    ヘッダ
１６    中空部
１７    スリット
１８    工具挿入溝
１９    おねじ部
２０    締付工具
５０    易解体ボルト
５１    第１の被締結体
５２    第２の被締結部材
５２ａ    めねじ部
６０    ボルト
【図１】
2004306215.tif 000003
【図２】
2004306215.tif 000004
【図３】
2004306215.tif 000005
【図４】
2004306215.tif 000006
【図５】
2004306215.tif 000007